(57)【要約】【課題】有価証券等の紙葉の一部を不正に抜き取った場合に、抜き取り前の冊子を再現することができず、このため、不正抜き取りが困難な冊子を提供すること。【解決手段】多数枚の紙葉１を重ね、その端部にカールファスナー３を挿通させて固定した冊子であって、カールファスナーとして、赤外線を励起光としてその照射によって赤外蛍光を発光する材料を含有又は印刷したしているカールファスナーを使用する。カールファスナーは一旦固定すると抜くことができず、このカールファスナーを破壊しなければ紙葉を抜き取ることができない。カールファスナーを破壊し、抜き取り前と同様の冊子を再現するためには、別のカールファスナーを使用する必要がある。しかし、一般にカールファスナーは前記材料を含有又は印刷していない。このため、赤外線読取装置を使用して前記材料を検出することができず、不正抜き取りを検出できる。【選択図】図１
2018176591.tif 000002
【特許請求の範囲】
【請求項１】
多数枚の紙葉を重ね、その端部にカールファスナーを挿通させて固定した冊子であって、
前記カールファスナーが赤外線を励起光としてその照射によって赤外蛍光を発光する材料を含有していることを特徴とする偽造防止処理を有する冊子。
【請求項２】
多数枚の紙葉を重ね、その端部にカールファスナーを挿通させて固定した冊子であって、
前記カールファスナーの露出表面に、赤外線を励起光としてその照射によって赤外蛍光を発光するインキ画像が施されていることを特徴とする偽造防止処理を有する冊子。
【請求項３】
前記画像が、カールファスナーの前記露出表面とその周囲とに跨って施されていることを特徴とする偽造防止処理を有する請求項２に記載の冊子。
【請求項４】
多数枚の前記紙葉が有価証券であることを特徴とする請求項１〜３のいずれかに記載の冊子。
【請求項５】
多数枚の前記紙葉の端部が背巻き止めに覆われており、前記カールファスナーが多数枚の前記紙葉と共に背巻き止めに挿通されていることを特徴とする請求項１〜４のいずれかに記載の冊子。
【発明の詳細な説明】
【技術分野】
【０００１】
本発明は偽造防止処理を有する冊子に関する。この冊子は、有価証券を紙葉として、この有価証券の多数枚を端部で綴じたものを好適に使用できる。例えば、小切手、優待券、回数券等を紙葉として、これらを多数枚綴じた冊子である。
【背景技術】
【０００２】
これら有価証券の冊子は、例えば、有価証券の多数枚を重ね合わせ、その端部をステープルで綴じている。また、こうして綴じられた多数枚の有価証券の表裏に表紙を重ね合わせ、粘着テープで背巻き止めを行って冊子としているものもある。
【０００３】
このようにステープルで綴じた冊子は、このステープルを外すことにより、有価証券の一部を抜き取ることが可能である。そして、抜き取った後、再度ステープルで綴じ合わせた冊子は、その有価証券の枚数が減少しているにも拘わらず、外見上はその区別がつかない。
【０００４】
このような問題を解決するため、特許文献１は、接着剤を使用して多数枚の有価証券のそれぞれを接着することによってこれらを綴じた冊子を提案している。この冊子は、それぞれの有価証券が互いに接着されているため、その一部を抜き取ることが困難である。
【０００５】
しかしながら、この技術では、それぞれの有価証券に接着剤を塗布する工程を必要とする上、接着剤の種類に応じてさまざまな問題点を有している。すなわち、接着剤として常温硬化型の粘着剤を使用する場合には、塗布された粘着剤が粘着力を有しているため、このような粘着表面を有する多数枚の有価証券を位置合わせして綴じることが困難である。また、接着剤として感熱接着剤を使用する場合には、塗布された感熱接着剤は加熱によって溶融するため、加熱状態で有価証券の一部を抜き取ることが可能である。
【先行技術文献】
【特許文献】
【０００６】
【特許文献１】特開２０００−２６３９７９号公報
【発明の概要】
【発明が解決しようとする課題】
【０００７】
そこで、本発明は、有価証券の一部を不正に抜き取った場合に、抜き取り前の冊子を再現することができず、このため、不正抜き取りが困難な冊子を提供することを目的とする。
【課題を解決するための手段】
【０００８】
すなわち、請求項１に記載の発明は、多数枚の紙葉を重ね、その端部にカールファスナーを挿通させて固定した冊子であって、
前記カールファスナーが赤外線を励起光としてその照射によって赤外蛍光を発光する材料を含有していることを特徴とする偽造防止処理を有する冊子である。
【０００９】
次に、請求項２に記載の発明は、多数枚の紙葉を重ね、その端部にカールファスナーを挿通させて固定した冊子であって、
前記カールファスナーの露出表面に、赤外線を励起光としてその照射によって赤外蛍光を発光するインキ画像が施されていることを特徴とする偽造防止処理を有する冊子である。
【００１０】
次に、請求項５に記載の発明は、多数枚の前記紙葉の端部が背巻き止めに覆われており、前記カールファスナーが多数枚の前記紙葉と共に背巻き止めに挿通されていることを特徴とする請求項１〜４のいずれかに記載の冊子である。
【発明の効果】
【００１１】
本発明の冊子においては、赤外線を励起光としてその照射によって赤外蛍光を発光する材料（赤外蛍光材料）を含有又は印刷したカールファスナーで多数枚の紙葉を固定しており、赤外線読取装置を使用してこの材料を検出することができる。
【００１２】
しかし、カールファスナーは一旦固定すると抜くことができない。このため、このカールファスナーを破壊しなければ紙葉を抜き取ることができない。そして、このため、カールファスナーを破壊し、紙葉を不正に抜き取った後、抜き取り前と同様にカールファスナーで固定して抜き取り前の冊子を再現するためには、別のカールファスナーを使用する必要がある。
【００１３】
しかし、一般にカールファスナーは前記材料を含有又は印刷していない。このため、この冊子から紙葉の一部を抜き取って、一般のカールファスナーを使用して紙葉を固定しても、赤外線読取装置を使用して前記材料を検出することができない。このため、本発明の冊子から不正に紙葉を抜き取ることができないのである。
【図面の簡単な説明】
【００１４】
【図１】図１は本発明の冊子の第１の具体例に係り、図１（ａ）はその平面図、図１（ｂ）は断面図である。
【図２】図２は、本発明の冊子に適用するカールファスナーの具体例に係り、図２（ａ）はその分解斜視図、図２（ｂ）はファスナー本体の線状挿通部の拡大部分断面図、図２（ｃ）はリングの拡大断面図である。
【図３】図３は本発明の冊子の第２の具体例に係り、図３（ａ）はその平面図、図３（ｂ）は断面図である。
【発明を実施するための形態】
【００１５】
以下、図面を参照して本発明の具体例を説明する。図１は本発明の冊子の第１の具体例に係り、図１（ａ）はその平面図、図１（ｂ）は断面図である。
【００１６】
これらの図から分かるように、本発明の冊子は、多数枚の紙葉１を重ね、その端部にカールファスナー３を挿通させて固定した冊子１００である。この例では、重ね合わせた多数枚の紙葉１の端部において、その表裏及び側端部を覆うように背巻き止め２を重ね、多数枚の前記紙葉１と共に背巻き止め２にカールファスナー３を挿通させて固定している。なお、図中、１ａは多数枚の紙葉１に施されたミシン目であり、このミシン目１ａで切断することにより、それぞれの紙葉１を冊子１００から切り離すことができる。
【００１７】
多数枚のこれら紙葉１は任意のものであってよいが、小切手、優待券、回数券等の有価証券を紙葉１として使用するとき、本発明の特徴が生かされる。また、コピー防止のため、これら有価証券には、ホログラムやパール加工が施されていてもよい。
【００１８】
一方、カールファスナーは周知であり、多数の商品が市販されている。図２（ａ）はこのカールファスナーの例を示す分解斜視図である。カールファスナー３は、ファスナー本体３１とリング３２とで構成されるものである。
【００１９】
ファスナー本体３１は鋏等で切断容易な材質で構成されている。例えば、塩化ビニル樹
脂、ポリプロピレン樹脂、ポリエチレン樹脂、アクリル樹脂、ポリカーボネート樹脂、ＡＢＳ樹脂等である。そして、このファスナー本体３１は、図示のように、線状の挿通部３１ａを有しており、この線状挿通部３１ａの一端に、これより大径の頭部３１ｂが設けられて構成されたものである。
【００２０】
線状挿通部３１ａの側面には多数の凹凸が設けられており、この凹凸を構成する２種類の斜面のうち、凸部から見て先端に近い斜面３１ｘは緩やかな傾斜を有している（図２（ｂ）参照）。他方、凹凸を構成する２つの斜面のうち、凸部から見て頭部３１ｂに近い斜面３１ｙは急峻な斜面又は線状挿通部３１ａの中心線に対して垂直な面を構成している。
【００２１】
一方、リング３２は、赤外線を励起光としてその照射によって赤外蛍光を発光する材料（赤外蛍光材料）を含有して構成されている。望ましくは、波長７００〜１５００ｎｍの赤外蛍光を発光する材料である。このような材料としては桂皮酸ネオジム、桂皮酸ネオジム・イッテルビウム複合塩、安息酸ネオジム・イッテルビウム複合塩、ナフトエ酸ネオジム、ナフトエ酸ネオジム・イッテルビウム複合塩が例示できる。また、ネオジム，イッテルビウム又はエルビウムのバナジン酸塩化合物、リン酸塩化合物、ホウ酸塩化合物、モリブデン酸塩化合物ならびにタングステン酸塩化合物を使用することもできる。
【００２２】
また、一般式ＡｙＥｒｘＹｂｓＹ１−ｘ−ｙ−ｓＰＯ４で表わされるリン酸金属塩を赤外蛍光材料として使用することもできる。なお、かかる一般式の「Ａ」は、アルカリ金属元素（第１族元素）を示しており、特にＬｉ（リチウム）、Ｎａ（ナトリウム）、Ｋ（カリウム）、Ｒｂ（ルビジウム）およびＣｓ（セシウム）から成る群から選択される少なくとも１種のアルカリ金属元素である。一般式における「Ｅｒ」はエルビウム元素、「Ｙｂ」はイッテルビウム元素、「Ｙ」はイットリウム元素、「Ｐ」はリン元素、そして、「Ｏ」は酸素元素をそれぞれ示している。
リング３２は、このような材料を樹脂に練り込んで成型することによって製造できる。樹脂は、ファスナー本体３１を構成する樹脂と同様でよい。すなわち、塩化ビニル樹脂、ポリプロピレン樹脂、ポリエチレン樹脂、アクリル樹脂、ポリカーボネート樹脂、ＡＢＳ樹脂等である。
【００２３】
また、リング３２は、線状挿通部３１ａを挿通できる孔３２ａを中央に有するものである。そして、この孔３２ａには凹凸が設けられている。リング３２のこの凹凸は線状挿通部３１ａの前記凹凸に対応するもので、この凹凸を構成する２つの斜面のうち、一方の斜面３２ｘは緩やかな傾斜を有しており、他方の斜面３２ｙは急峻な斜面又は孔３２ａの中心線に対して垂直な面を構成している。
【００２４】
このため、このリング３２を適切な向きにして、孔３２ａに線状挿通部３１ａを挿通すると、リング３２の緩やかな傾斜面３２ｘと線状挿通部３１ａの緩やかな傾斜面３１ｘとが対面し、線状挿通部３１ａはリング３２の孔３２ａに容易かつ速やかに挿通することができる。一方、こうして挿通したリング３２を抜こうとすると、リング３２の急峻な斜面３２ｙと線状挿通部３１ａの急峻な斜面３１ｙとが衝突するため、抜くことができない。このように、ファスナー本体３１とリング３２とを容易に挿通することができるが、一旦挿通したリング３２を抜くことは困難なのである。
【００２５】
そこで、このカールファスナー３を利用して、多数枚の前記紙葉１及び背巻き止め２に挿通し、これら紙葉１及び背巻き止め２から突出した線状挿通部３１ａにリング３２を嵌め込むことにより、これら紙葉１及び背巻き止め２を固定することができる。なお、前述のように、ファスナー本体３１は鋏等で切断容易な材質で構成されているから、リング３２から突出した先端を切断除去して、その切断面とリング３２との間の段差を解消して、面一とすることが望ましい。
【００２６】
この冊子１００は、赤外線読取装置を使用すれば、リング３２中の赤外蛍光材料を検出することができる。
【００２７】
一方、紙葉を抜き取るためには、このカールファスナー３を破壊しなければならない。そして、紙葉を抜き取った後、抜き取り前と同様にカールファスナーで固定するためには、別のカールファスナーを使用する必要がある。
【００２８】
しかし、一般にカールファスナーは前記材料を含有していないから、一般のカールファスナーを使用して紙葉を固定しても、赤外線読取装置を使用して前記材料を検出することができない。このように前記材料が検出されない冊子は、不正に紙葉が抜き取られたものであると判断できる。あるいは正規品とは別に製造された偽造品である。このため、本発明の冊子を偽造することは不可能なのである。
【００２９】
次に、図３は本発明の冊子の第２の具体例に係り、図３（ａ）はその平面図、図３（ｂ）は断面図である。
【００３０】
この例では、カールファスナー３’は赤外蛍光材料を含有していないが、冊子外面に露出した表面にインキ画像４が設けられており、このインキ画像４が赤外蛍光材料を含有している。この例では、リング３２から突出した線状挿通部３１ａの先端を切断除去して、その切断面とリング３２とを面一としているから、その露出表面は線状挿通部３１ａの切断面と、これに面一のリング３２である。そして、この例では、これら線状挿通部３１ａの切断面及びリング３２表面で構成される露出表面に加えて、その周囲の背巻き止め２表面に跨って、「ＴＯＰ」の画像４が印刷形成されている。図中、４ａはリング３２の露出表面に形成された画像、４ｂは背巻き止め２表面に形成された画像を示している。
【００３１】
このようにカールファスナー３’の露出表面にインキ画像４が施されているから、万一このカールファスナー３’を抜いて紙葉１の一部を抜き取った後、カールファスナー３’を再度挿通して固定したとしても、そのインキ画像４の向きを抜き取り前の向きに正確に再現することはできない。このため、赤外線読取装置を使用することにより、カールファスナー３’を抜いて紙葉１の一部を抜き取ったという事実を検出することができる。
【００３２】
また、この例のようにカールファスナー３’の露出表面とその周囲とに跨ってインキ画像４が施されている場合には、カールファスナー３’を再度挿通したとき、インキ画像４の向きを正確に再現することはできないから、インキ画像４がカールファスナー３’の露出表面とその周囲との間で分断される。この例では、カールファスナー３’を抜き取って再度挿通して固定した場合、「ＴＯＰ」の文字がその途中で分断されるから、これを読み取り可能に再現することは事実上不可能である。このため、その検出は一層容易で、しかも正確な検出が可能となる。
【００３３】
赤外蛍光材料はインキ画像４中に５〜５０質量％含まれていればよい。望ましくは１０〜３０質量％である。このインキ画像４は、パッド印刷法やディスペンサー方式で印刷形成することができる。厚みは０．５〜１０．０μｍでよい。望ましくは０．５〜５．０μｍである。
【００３４】
そして、このため、この例においても、紙葉が抜き取られた場合には、赤外線読取装置を使用してその事実を検出することができる。
【符号の説明】
【００３５】
１００：冊子
１：紙葉    １ａ：ミシン目
２：背巻き止め
３：カールファスナー    ３’：カールファスナー
３１：ファスナー本体    ３１ａ：線状挿通部    ３１ｂ：頭部
３２：リング    ３２ａ：孔
４：インキ画像
【図１】
2018176591.tif 000003
【図２】
2018176591.tif 000004
【図３】
2018176591.tif 000005